(57)【要約】【課題】様々な折目を容易に付けることが可能な折畳みシートを提供する。【解決手段】区画領域１０Ａ−１０Ｎ，１０Ｐ間の谷折り線１１又は山折り線１２に従って折り畳むことが自在に行える折畳みシート１である。  そして、折目が形成される平面状のシート本体２と、折目にする線に沿った縁部３１が形成された区画領域に貼り付けられる区画シール３とを備えている。  ここで、シート本体及び区画シールの表面に印刷が施された構成とすることができる。また、区画シールの裏面にも印刷を施すことができる。さらに、折目にする箇所に、谷折り線と山折り線に合わせたエンボス加工を施すこともできる。【選択図】図１
2015121633.tif 000002
【特許請求の範囲】
【請求項１】
区画領域間の折目に従って折り畳むことが自在に行える折畳みシートであって、
前記折目が形成される平面状のシート本体と、
前記折目にする線に沿った縁部が形成された前記区画領域に貼り付けられる区画シールとを備えたことを特徴とする折畳みシート。
【請求項２】
前記シート本体及び区画シールの表面に印刷が施されることを特徴とする請求項１に記載の折畳みシート。
【請求項３】
前記区画シールの裏面に印刷が施されることを特徴とする請求項２に記載の折畳みシート。
【請求項４】
前記折目にする箇所に、谷折り線と山折り線に合わせたエンボス加工を施すことを特徴とする請求項１乃至３のいずれか一項に記載の折畳みシート。
【請求項５】
請求項１乃至４のいずれか一項に記載の折畳みシートの製造方法であって、
前記シート本体及び区画シールとなるシート材に印刷を施す工程と、
前記シート材のシート本体の表面となる範囲にコーティング層を形成するとともに、前記シート材の区画シールの裏面となる範囲に粘着層を形成する工程と、
前記シート材を折り曲げることによって前記粘着層と前記コーティング層とを貼り合わせて二重構造にする工程と、
前記折目にする箇所の前記二重構造の上層を帯状に切り取って溝部を形成する工程と、
前記溝部に沿って折り曲げることで前記折目を形成する工程とを備えたことを特徴とする折畳みシートの製造方法。
【発明の詳細な説明】
【技術分野】
【０００１】
本発明は、折畳み地図、図面、広告や宣伝のために配布されるチラシ、教材、又は雑誌や本の綴込みなどに使用される折畳みシート及びその製造方法に関するものである。
【背景技術】
【０００２】
大きな一枚の紙に印刷された地図や図面を、携帯しやすいように小さく折り畳むことが行われている。特許文献１−４には、いわゆる「ミウラ折り（登録商標）」と呼ばれる折り方が開示されている。
【０００３】
ミウラ折りは、大きな紙を小さく折り畳めるだけでなく、展開がしやすいうえに折目が劣化しにくいという特徴を有している。一方で、ミウラ折りは、直線状の折目とジグザグの折目とを交差させるなど、複雑な折目を付けなければならない折り方でもある。
【０００４】
そこで、特許文献１には、紙の上下に配置して挟んだ圧力によって折目を付けるための面状の折畳み治具が開示されている。また、特許文献２−４にも、様々な折畳み装置が開示されている。これらに開示された折畳み装置は、いずれも面状の治具や折目付け用刃を紙に押し付けることで、折目を付ける構成となっている。
【先行技術文献】
【特許文献】
【０００５】
【特許文献１】特開２００９−５１６２０号公報
【特許文献２】特許第３６４４９４５号公報
【特許文献３】特開２００２−１２３６７号公報
【特許文献４】特開２００９−１８８８０号公報
【発明の概要】
【発明が解決しようとする課題】
【０００６】
しかしながら特許文献１−４に開示されたような折畳み治具や折畳み装置を使用する場合は、装置等に設定された折り方しかできない。すなわち折り方が変わると、新たに押し付ける型などを製作しなければならず、様々な折り方に迅速に対応させるのが難しい。
【０００７】
そこで、本発明は、様々な折目を容易に付けることが可能な折畳みシート及びその製造方法を提供することを目的としている。
【課題を解決するための手段】
【０００８】
前記目的を達成するために、本発明の折畳みシートは、区画領域間の折目に従って折り畳むことが自在に行える折畳みシートであって、前記折目が形成される平面状のシート本体と、前記折目にする線に沿った縁部が形成された前記区画領域に貼り付けられる区画シールとを備えたことを特徴とする。
【０００９】
ここで、前記シート本体及び区画シールの表面に印刷が施された構成とすることができる。また、前記区画シールの裏面にも印刷を施すことができる。さらに、前記折目にする箇所に、谷折り線と山折り線に合わせたエンボス加工を施すこともできる。
【００１０】
また、本発明の折畳みシートの製造方法は、上記いずれかに記載の折畳みシートの製造方法であって、前記シート本体及び区画シールとなるシート材に印刷を施す工程と、前記シート材のシート本体の表面となる範囲にコーティング層を形成するとともに、前記シート材の区画シールの裏面となる範囲に粘着層を形成する工程と、前記シート材を折り曲げることによって前記粘着層と前記コーティング層とを貼り合わせて二重構造にする工程と、前記折目にする箇所の前記二重構造の上層を帯状に切り取って溝部を形成する工程と、前記溝部に沿って折り曲げることで前記折目を形成する工程とを備えたことを特徴とする。
【発明の効果】
【００１１】
このように構成された本発明の折畳みシートは、折目の両側の区画領域に、折目にする線に沿った縁部が形成された区画シールが貼り付けられて二重構造となる。
【００１２】
このため、区画シール間を折り曲げることで、どのような折目であっても容易に区画領域間に付けることができる。さらに、折目にする箇所にエンボス加工を施しておくことで、より簡単に折り曲げることができるようになる。
【００１３】
また、シート本体及び区画シールの表面に印刷が施されていれば、一枚のシートの面積に倍の情報を詰め込むことができる。さらに、区画シールの裏面にも印刷を施すことで、情報量をより増加させることができる。
【００１４】
また、シート材に印刷を行う工程の延長線上で、区画シールとその縁部による折目のガイドを容易に製造することができる。
【図面の簡単な説明】
【００１５】
【図１】本実施の形態の折畳みシートの構成を示した説明図である。
【図２】折畳みシートを折り畳む途中の状態を説明する斜視図である。
【図３】折畳みシートの折り畳み完了間近の状態を説明する斜視図である。
【図４】折畳みシートの使用例を拡大して示した説明図である。
【図５】本実施の形態の折畳みシートの製造方法の工程を説明する図であって、（ａ）は印刷工程を説明する模式図、（ｂ）はシート材を折り曲げて粘着層とコーティング層とを貼り合わせる工程を示した説明図、（ｃ）は折目の上層を帯状に切り取る工程を示した説明図である。
【図６】実施例の折畳みシートの構成を示した説明図である。
【発明を実施するための形態】
【００１６】
以下、本発明の実施の形態の折畳みシート１について図面を参照して説明する。図１は、本実施の形態の折畳みシート１の構成を説明する図である。また、図２，３は、折畳みシート１が折り畳まれる状況を説明する斜視図である。
【００１７】
この折畳みシート１は、少なくとも表面２ａに印刷が施されたシート本体２と、シート本体２の各区画領域１０Ａ−１０Ｎ，１０Ｐに貼り付けられる区画シール３，・・・とを主に備えている。
【００１８】
この長方形に形成されるシート本体２には、例えば紙が使用できる。なおシート本体２は、紙に限定されるものではなく、合成樹脂などのシート、膜、薄板など、厚みが薄い面状材であればよい。
【００１９】
シート本体２の第１面２１及び第２面２２には、図５に示すように図や文字情報などの印刷が施される。また、シート本体２には、図１に示すように、折目としての谷折り線１１（一点鎖線で図示）と、折目としての山折り線１２（破線で図示）が形成される。
【００２０】
谷折り線１１は、例えばエンボス加工の凹溝とすることができる。また、山折り線１２は、エンボス加工の凸条とすることができる。谷折り線１１及び山折り線１２は、エンボス加工によって施されるものに限定されるものではない。例えば、印刷によって谷折り線１１と山折り線１２とが判別（一点鎖線と破線、赤線と青線など）できるように示されているだけでもよい。
【００２１】
そして、折目（１１，１２）又は折畳みシート１の外縁に囲まれた面状の単位領域が区画領域１０Ａ−１０Ｎ，１０Ｐとなる。区画領域１０Ａ−１０Ｎ，１０Ｐは、折畳みシート１に形成される折り畳まれることがない最小領域である。すなわち折畳みシート１を折り畳むと、区画領域１０Ａ−１０Ｎ，１０Ｐが積層された状態になる。
【００２２】
本実施の形態では、ミウラ折りとなるように谷折り線１１と山折り線１２をシート本体２に付ける場合について説明する。このため、区画領域１０Ａ−１０Ｎ，１０Ｐの形状は、台形や平行四辺形となる。
【００２３】
そして、各区画領域１０Ａ−１０Ｎ，１０Ｐより一回り小さい形状の区画シール３，・・・が、それぞれの区画領域１０Ａ−１０Ｎ，１０Ｐに貼り付けられる。
【００２４】
折畳みシート１の外縁に一致させる縁部以外の区画シール３の縁部３１は、折目（１１，１２）にする線に沿って成形される。すなわち折目（１１，１２）の両側には、両側の区画シール３，３の縁部３１，３１が折目（１１，１２）に略平行に形成される。換言すると、区画シール３，３間には、折目（１１，１２）に沿って等幅の溝部３３（図５（ｃ）参照）が形成される。
【００２５】
この区画シール３は、図１の区画領域１０Ａに例示したように捲ることができる。区画シール３を捲る前は表面３ａが露出しているが、区画シール３を捲ると、裏面３ｂとシート本体２の表面２ａが露出することになる。後述するように、区画シール３の表面３ａ及び裏面３ｂと、シート本体２の表面２ａとのすべてに印刷を施すことができる。
【００２６】
さらに、区画シール３は、剥がしたり貼ったりを繰り返すことができるように形成される。詳細には、区画シール３の裏面３ｂには、図５（ｂ）に示すように粘着層２３が形成されている。この粘着層２３は、シート材２０にシール用の粘着剤を塗布することによって形成される。粘着剤には、例えばアクリル系粘着剤などの不溶性の糊が使用される。
【００２７】
これに対して区画シール３の台紙側となるシート本体２の表面２ａ（第１面２１）には、剥離層としてコーティング層２４が形成される。コーティング剤には、例えばシリコーン樹脂を使用することができる。シリコーン樹脂には、溶剤型、無溶剤型、エマルジョン型などがある。例えば、ＵＶシリコーンが使用できる。
【００２８】
このように構成された折畳みシート１は、図２，３に示す手順で小さく折り畳むことができる。まず、図１が折畳みシート１を全開した状態を示している。この折畳みシート１を左右から縮めると、ジグザグの谷折り線１１，１１及び山折り線１２，１２が折り曲げられて、図２に示す状態になる。
【００２９】
この状態よりもさらに押し縮めると、シート本体２の裏面２ｂが隠れて図３に示すように平面視波形の三層が重ねられることになる。そこで、広げたとき（図１参照）には平行な直線であった谷折り線１１と山折り線１２を折り曲げると、区画領域１０Ａ−１０Ｎ，１０Ｐが積層された折り畳まれた状態になる。
【００３０】
続いてこのように構成された折畳みシート１の使用方法について、図４を参照しながら説明する。折り畳まれた折畳みシート１を広げると、折畳みシート１に貼り付けられた区画シール３，・・・の表面３ａ，・・・には、例えば縮尺の小さい地図が印刷されている。
【００３１】
地域全体を俯瞰したい場合は、そのまま区画シール３，・・・の表面３ａ，・・・の地図を見ればよい。そして、ある地域（例えば区画領域１０Ｈ）の詳細地図が見たくなった場合は、その区画領域１０Ｈに貼られた区画シール３を捲る。すると、シート本体２の表面２ａと区画シール３の裏面３ｂに印刷された縮尺の大きい地図が現れて、詳細な地図が確認できるようになる。
【００３２】
また、詳細地図を見終わった後は、再び区画シール３を貼り付けることで、元のように区画シール３の表面３ａに印刷された縮尺の小さい地図を見ることができるようになる。
【００３３】
次に、本実施の形態の折畳みシート１の製造方法について説明する。まず、図５（ａ）に示すようにロール紙からシート材２０を引き出し、両面印刷機４によってシート材２０の第１面２１と第２面２２の両面に印刷を行う。すなわち、区画シール３の表面３ａ及び裏面３ｂ並びにシート本体２の表面２ａとするのに必要な印刷は、この工程ですべて行う。なお、シート本体２の裏面２ｂにも印刷をする場合は、この工程で行われる。
【００３４】
印刷後にリワインダー装置によって巻き取られたシート材２０をオフライン加工機にセットし、再び引き出された印刷済みのシート材２０に対して、図５（ｂ）に示すように第１面２１のシート本体２の表面２ａとなる範囲にＵＶシリコーンを塗布してコーティング層２４を形成する。さらに、コーティング層２４をＵＶ硬化させた後に、区画シール３の裏面３ｂとなる範囲に粘着剤を塗布して粘着層２３を形成する。
【００３５】
そして、シート材２０を中央線２５で谷折りに折り曲げることによって、粘着層２３とコーティング層２４とを貼り合わせて二重構造を形成する。すなわちシート材２０が折り重ねられてコーティング層２４と粘着層２３とが対峙した状態になる。
【００３６】
この折り重ねられた状態のまま、図５（ｃ）に示すように粘着層２３が形成された上層のシート材２０のみを切り取る工程に移行する。この工程では、区画シール３，・・・の縁部３１，・・・の位置に合わせて、ダイカッタで切り込みを入れる。続いて、縁部３１，３１間に挟まれた帯状の除去部３２を取り除くと、区画シール３，３間に溝部３３が現れる。
【００３７】
そこでこの溝部３３に、エンボス加工によって谷折り線１１と山折り線１２となる凹凸を形成する。また、中央線２５位置の折り畳まれた折目は、裁断によって切り落として形を整える。
【００３８】
ここまでは、印刷、区画シール３，・・・の形成、エンボス加工、裁断に至るまで一貫した工程で行うことができる。そして、溝部３３に沿って所定の向きに折り曲げていくことで、折畳みシート１に折目（１１，１２）を付ける。
【００３９】
次に、本実施の形態の折畳みシート１及びその製造方法の作用について説明する。
【００４０】
このように構成された本実施の形態の折畳みシート１は、折目（１１，１２）の両側の区画領域１０Ａ−１０Ｎ，１０Ｐに、折目にする谷折り線１１又は山折り線１２に沿った縁部３１が形成された区画シール３が貼り付けられて二重構造となる。
【００４１】
このため、区画シール３，３間を折り曲げることで、容易に区画領域間に折目（１１，１２）を付けることができる。すなわち区画シール３が貼られた部分は二重構造で折り曲げにくく、それに隣接するシート本体２が一枚の溝部３３は折り曲げ易くなるため、特別な治具や装置を使わなくても手作業で任意の折目を容易に付けることができる。特に、折目（１１，１２）になる箇所にエンボス加工を施しておくことで、より簡単に折り曲げることができるようになる。
【００４２】
また、シート本体２及び区画シール３の表面２ａ，３ａに印刷が施されていれば、一枚のシートの面積に倍の情報を詰め込むことができる。さらに、区画シール３の裏面３ｂにも印刷を施すことで、情報量をより増加させることができる。
【００４３】
また、ロール紙から引き出されたシート材２０に印刷を行う工程の延長線上で、区画シール３とその縁部３１による折目（１１，１２）のガイドを容易に製造することができる。
【００４４】
なお、折畳みシート１の使用方法は、上述した地図に限定されるものではない。例えば、区画シール３の表面３ａに全体設計図を印刷しておき、シート本体２の表面２ａに区画シール３を捲ると現れるように該当箇所の詳細設計図を印刷しておくことができる。
【００４５】
また、自動車の広告等では、区画シール３の表面３ａに車両の外観を印刷しておき、シート本体２の表面２ａに区画シール３を捲ると現れるように車両の内装を印刷しておくことができる。
【００４６】
さらに、折畳みシート１を、区画シール３を捲ると人体の内臓が現れるような教材や飛び出す絵本等にすることもできる。また、雑誌や本の綴込みなどに折畳みシート１を使用することもできる。
【実施例】
【００４７】
以下、前記した実施の形態とは別の形態の実施例について、図６を参照しながら説明する。なお、前記実施の形態で説明した内容と同一乃至均等な部分の説明については、同一用語又は同一符号を付して説明する。
【００４８】
前記実施の形態では、ミウラ折りによって折畳みシート１を折り畳む場合について説明したが、これに限定されるものではない。二つ折り、三つ折り、四つ折り、Ｚ折り等いずれの折り方によって折り畳む場合にも、本発明を適用できる。
【００４９】
図６には、上下方向で二つ折りにした後に左右方向で巻三つ折りを行う場合の折畳みシート５の展開図を示した。この折畳みシート５は、直線状の折目となる谷折り線５１又は山折り線５２によって、６つの区画領域５０Ａ−５０Ｆに区切られている。
【００５０】
そして、長方形（正方形）の区画領域５０Ａ−５０Ｆには、それぞれ一回り小さい形状の区画シール５３，・・・がそれぞれ貼り付けられる。このように簡単な折り方で畳む場合にも、区画シール５３，５３の縁部５３１，５３１によるガイドがあることで、より正確に折目（５１，５２）を付けることができる。
【００５１】
なお、他の構成及び作用効果については、前記実施の形態と略同様であるので説明を省略する。
【００５２】
以上、図面を参照して、本発明の実施の形態を詳述してきたが、具体的な構成は、この実施の形態又は実施例に限らず、本発明の要旨を逸脱しない程度の設計的変更は、本発明に含まれる。
【００５３】
例えば、前記実施の形態では、区画シール３の両面（３ａ，３ｂ）に印刷を施したが、これに限定されるものではなく、印刷は区画シール３の表面３ａだけでもよい。また、シート材２０の全面に印刷をしなくても、印刷を必要とする範囲にのみ印刷することもできる。
【００５４】
さらに、前記実施の形態及び実施例では、折畳みシート１，５の一面のみに区画シール３，５３が貼り付けられる構成について説明したが、これに限定されるものではなく、折畳みシートの両面にシールが貼り付けられる三重構造にすることもできる。この場合は、両面ともに区画シールにすることもできるが、いずれか一方の面のシールは、折目に重ならない範囲で任意の大きさ又は形状にすることもできる。
【符号の説明】
【００５５】
１              折畳みシート
１０Ａ−１０Ｎ，１０Ｐ  区画領域
１１            谷折り線（折目）
１２            山折り線（折目）
２              シート本体
２ａ            表面
２０            シート材
２１            第１面
２２            第２面
２３            粘着層
２４            コーティング層
３              区画シール
３ａ            表面
３ｂ            裏面
３１            縁部
３２            除去部
３３            溝部
５              折畳みシート
５０Ａ−５０Ｆ  区画領域
５１            谷折り線（折目）
５２            山折り線（折目）
５３            区画シール
５３１          縁部
【図１】
2015121633.tif 000003
【図２】
2015121633.tif 000004
【図３】
2015121633.tif 000005
【図４】
2015121633.tif 000006
【図５】
2015121633.tif 000007
【図６】
2015121633.tif 000008